(57)【特許請求の範囲】
【請求項１】
施錠時鍵孔に挿入された合鍵を４αの角度回動してその角度位置で合鍵を抜き、解錠時には合鍵を同じ角度反対方向に回してその角度位置で合鍵を抜くタイプのシリンダ錠と、施錠時鍵孔に挿入された合鍵を２αの角度回動し、同じ角度反対方向に回し戻して合鍵を抜き、解錠時施錠時とは反対方向に２αの角度回動し、同じ角度施錠方向に回し戻して合鍵を抜く二つのタイプのシリンダ錠の施解錠状態を同じ機構で表示できるようにしたものであって、シリンダ錠の外筒と同軸に嵌合する内筒の外筒外端面から少し突出する外端外周部に表示リングを回動可能に嵌着し、この表示リングの外面に、その円周方向に沿って、夫々内筒中心軸を見込む角度がαの３つの区画を連設し、これら３つの区画の両端の区画に相互に異なる色彩を施して、夫々施錠状態及び解錠状態に対応する二つの表示部を設けると共に、表示リングの内周面の内側に一定の角度範囲にわたって遊動切欠を形成し、一方、内筒の外周面外端部に、半径方向に突出し、上記遊動切欠と遊動可能に係合するツクを突設し、また、上記遊動切欠とツクの内筒中心軸を見込む角度の差を２αとし、他方、浅いカップ状で底面に内筒の外端面を覗かせる開口と表示リングの表示部を覗かせる表示孔とを形成した外筒キャップをシリンダ錠の外端部を覆うように装着したことを特徴とするシリンダ錠の施解錠表示装置。
【発明の詳細な説明】
【０００１】
【発明の属する技術分野】
この発明は、キャビネットの引出し、ロッカの扉又は出入口のドア等に設けられるシリンダ錠の施解錠の状態を一見してわかるようにしたシリンダ錠の施解錠表示装置の改良に関する。
【０００２】
【従来の技術】
従来のこの種の施解錠表示装置としては、例えば、特開平９−２５７５１号公報に記載されたものを挙げることができる。
【０００３】
同公報に示された一つの施解錠表示装置は、錠前本体に対して１８０°回転可能なシリンダーヘッドを設け、表面を異なる二種類の色で着色した表示板及び該表示板の表面の一部を露出させる開口部を有するケースカバーを順に取付け、シリンダーヘッドの回転に伴って表示板又はケースカバーを回転させることにより、ケースカバーの開口部から見える表示板の色により施錠又は解錠状態を確認出来るようにしたものである。
【０００４】
また、別の施解錠表示装置は、鍵穴の周囲を異なる二種類の色で着色したシリンダーヘッドを錠前本体に対して１８０°回転可能に設けるとともに、該シリンダーヘッドの着色を露出させる開口部を有するケースカバーを外被して錠前本体に取り付け、シリンダーヘッドを回転させることにより、ケースカバーの開口部から見える着色部の色の相違から施錠又は解錠状態を確認できるようにしたものである。
【０００５】
上記した構成の施解錠表示装置は、勿論所期の機能を発揮することができ実用されているが、表示板或いはシリンダーヘッドの着色部はシリンダー錠の内筒端面内に設けられるので、着色表示部を大きくすることができず、施解錠の表示が遠くからは見えにくい、等改良の余地がある。
【０００６】
また、本出願人は、先に、例えば特願平９−３６９４５８号を以て、上記した不都合を解消したシリンダ錠の施解錠表示装置を提案した。
【０００７】
この発明は、上記本出願人の提案に係るシリンダ錠の施解錠表示装置を改良し、施解錠操作が異なる２種以上のシリンダ錠に対応し得る施解錠表示装置を提供することを目的としている。
【０００８】
【課題を解決するための手段】
上記の目的を達成するため、この発明は、施錠時鍵孔に挿入された合鍵を４αの角度回動してその角度位置で合鍵を抜き、解錠時には合鍵を同じ角度反対方向に回してその角度位置で合鍵を抜くタイプのシリンダ錠と、施錠時鍵孔に挿入された合鍵を２αの角度回動し、同じ角度反対方向に回し戻して合鍵を抜き、解錠時施錠時とは反対方向に２αの角度回動し、同じ角度施錠方向に回し戻して合鍵を抜く二つのタイプのシリンダ錠の施解錠状態を同じ機構で表示できるようにしたものであって、シリンダ錠の外筒と同軸に嵌合する内筒の外筒外端面から少し突出する外端外周部に表示リングを回動可能に嵌着し、この表示リングの外面に、その円周方向に沿って、夫々内筒中心軸を見込む角度がαの３つの区画を連設し、これら３つの区画の両端の区画に相互に異なる色彩を施して、夫々施錠状態及び解錠状態に対応する二つの表示部を設けると共に、表示リングの内周面の内側に一定の角度範囲にわたって遊動切欠を形成し、一方、内筒の外周面外端部に、半径方向に突出し、上記遊動切欠と遊動可能に係合するツクを突設し、また、上記遊動切欠とツクの内筒中心軸を見込む角度の差を２αとし、他方、浅いカップ状で底面に内筒の外端面を覗かせる開口と表示リングの表示部を覗かせる表示孔とを形成した外筒キャップをシリンダ錠の外端部を覆うように装着したことを特徴とする。
【０００９】
【実施例】
以下、図面を参照してこの発明について説明する。
なお、この発明は、上記αが４５度のシリンダ錠、すなわち、鍵孔に合鍵を挿入して９０度施錠方向或いは解錠方向に回動し、反対方向に９０度戻して合鍵を抜くタイプの錠前、及び鍵孔に合鍵を挿入して１８０度施錠方向或いは解錠方向に回動し、その侭合鍵を抜くタイプの錠前に特に好適であり、これら二つのタイプの錠前に対し同じ機構で施解錠表示を行うことができる。
【００１０】
なお、シリンダ錠は、その構造上、施解錠操作に必要な内筒の回動角度を過小にならない限り任意に設定できるのだが、９０度或いは１８０度以外の回動角度では、施錠或いは解錠操作後の鍵孔の角度位置が異なってしまい、使い勝手が悪くなるので、通常の錠前では上記したように回動（操作）角度が定まっている。
【００１１】
しかしながら、この発明は、後に明らかになるように、操作角度が９０度、１８０度以外の任意の操作角度の錠前にも適用することができる。
【００１２】
図１乃至図４において符号１は事務机の引出しのシリンダ錠の外筒を、符号２は内筒を夫々示す。なお、内筒２の外周面にはタンブラーを収納するスロット或いはタンブラーばねを収納するばね孔が開口しているが、図示の実施例では図面が煩雑になるのを避けるためこれらの開口の図示を省略している。
【００１３】
なお、図示の実施例では、内筒２の外筒１に対する軸線方向の相対位置は、後述のツク９と外筒１の開口端に形成された段部１ａ（図２及び図３参照）との係合によって定まる。
【００１４】
上記内筒２の外端（図２及び図３で左端）外周部には横断面が矩形の表示リング３が回動可能に嵌着されている。
【００１５】
この表示リング３の蛇の目状の外面の一部には、図３及び図５に示すように、その円周方向に沿って、夫々内筒中心軸を見込む角度がα（図示の実施例ではα＝４５度）の３つの区画が連設されている。
【００１６】
そして、これら３つの区画の両端の区画に相互に異なる色彩を施して、夫々施錠状態及び解錠状態に対応する二つの表示部、すなわち、図示の実施例では施錠状態を示す第一表示部４と、解錠状態を示す第二表示部５とが区画、形成されている。
【００１７】
但し、図示の実施例では、合鍵を時計方向に回動することによりシリンダ錠を施錠するものとする。
【００１８】
なお、第一及び第二表示部４、５の中間の中間区画６は、後述するように、表示が切り替わるときに表示窓を通過するだけであるから、第一或いは第二表示部と同一の色彩を施してもよいし、これらとは別の色彩でもよいし、或いは表示リング３の地色としてもよい。
【００１９】
また、同様に、第一及び第二表示部４、５は相互に異なる色彩であればよいので、一方を表示リング３の地色としてもよい。
【００２０】
図示の実施例における表示リング３は、例えば地色が赤色の合成樹脂製で、第一及び第二表示部４、５の何れか一方を地色の赤色とし、他方を例えば印刷により水色とする。
【００２１】
また、図２に示すように、表示リング３の外面の外周縁を残して浅い段部７を形成し、この段部の底面を表示面として水色の印刷等を施すと良い。後述するように表示面が回動して外筒キャップの表示孔の開口端縁と表示面が摺接して摩耗することを防止する為である。
【００２２】
また、図２乃至図４に明示するように、表示リング３の内周面の内側（図４で手前側）は一定の角度範囲（図示の実施例では１８０度）にわたって切り欠かれ、断面が矩形の遊動切欠８が形成されている。
【００２３】
一方、図２乃至図４に示すように、内筒２の外周面外端部には、内筒の半径方向に突出する、例えば外形及び横断面形状が矩形のツク９が突設されている。
【００２４】
このツク９の半径方向の突出量は上記遊動切欠８の深さよりも小さく設定されており、したがって表示リング３を内筒に嵌着した状態においてツク９は遊動切欠８内で遊動することができる。
【００２５】
なお、図示の実施例では、ツク９が円周方向において内筒の中心軸を見込む角度は９０度であり、遊動切欠８とツク９の内筒中心軸を見込む角度の差は１８０度−９０度＝９０度（２α）となっている。
【００２６】
他方、図２乃至図４に示すように、シリンダ錠の外端にはこれを覆うように外筒キャップ１１が装着されている。
【００２７】
この外筒キャップ１１は、円形の浅いカップ状で、その底面中央には内筒２の外端面を覗かせるための円形の開口１２が形成されており、また、この開口１２の外側に連続して、時計盤面に換算して１２時の角度位置に、円弧状の表示孔１３（図１及び図３参照）が開口している。
【００２８】
この表示孔１３は前記した表示リング３を覗かせるもので、その半径方向の位置は表示リング３のそれと一致している。
【００２９】
また、この表示孔１３が内筒の中心を見込む角度は、図示の実施例では約４５度（α）となっている。
【００３０】
更にまた、図示の実施例では、外筒キャップ１１の開口端縁の４ヵ所から半径方向に突出する夫々矩形の支脚１４、１４が一体に形成されていて、各支脚１４が、外筒１の外端面に形成された支脚１４の厚さとほぼ同じ深さの固定穴１５（図３参照）に嵌め込まれ、かしめによって外筒キャップ１１が外筒１に固定される。
【００３１】
このかしめは、例えば図１に示すように、支脚１４を固定穴１５に嵌め込んだ後、固定穴１５の開口部に形成された小突起１６を加圧し、或いは打撃することにより行う。
【００３２】
なお、表示リング３と外筒キャップ１１との嵌合を比較的しっくり、換言すれば若干止まりばめ傾向にし、表示リング３と内筒との嵌合を弛み加減にすることが望ましい。
【００３３】
施解錠時合鍵を１８０度回し、その角度位置で合鍵を抜くタイプのシリンダ錠にこの発明を適用する場合、図５及び図６に示すように、例えば解錠状態を示す第２表示部５を時計盤面に換算して１２時の角度位置に置く。
【００３４】
そして、内筒と一体のツク９の遊動切欠８に対する相対角度位置を、図６に示すように、ツク９の施錠時における回動方向（図５で時計方向、図６で半時計方向）において２αの遊び角度があるように、換言すれば、施錠時ツクが２α（９０度）遊動できるように設定する。
【００３５】
上記のように構成されたこの発明による施解錠表示装置は、鍵孔１７（図１参照）に図示しない合鍵を差込み全タンブラーをシアーラインに揃えた後合鍵を時計方向に１８０度回すと、これと一体に内筒２及びツク９が施錠方向に回動する。
【００３６】
このとき、回動の初期の段階では内筒のツク９は遊動切欠８内で遊動するのみなので、回し始めから９０度の角度範囲では内筒２のみが回動して表示リング３は当初の角度位置に残される。
【００３７】
内筒２が９０度回動すると、図７に示すように、ツク９が遊動切欠８の一方の端部に突き当たり、以降内筒２と表示リング３とが一体的に回動し始める結果、外筒キャップの表示孔１３に対し表示リング３が相対的に反時計方向に回動する。
【００３８】
そして、内筒２が１８０度回動し終えると、図８に示すように、施錠状態を示す第一表示部４が時計盤面で１２時の角度位置に来るので、表示孔１３から見える第一表示部の色により施錠状態を表示することができる。
【００３９】
そして、内筒を施錠角度位置に置いた状態で合鍵を抜くと、表示リング３はその角度位置を保つから、次の解錠操作まで施錠の表示はその侭保たれる。
【００４０】
同様に、上記とは反対方向（解錠方向：図８で時計方向）に合鍵を回す場合、図８から明らかなように、最初の９０度の角度範囲では表示部は動かない。
【００４１】
ツク９（内筒）が９０度回動すると、図９に示すように、ツク９が遊動切欠８の他方の端部に突き当たり、９０度を越えると、表示リング３がツク９と一体的に時計方向に回動し始め、内筒２が解錠方向に１８０度回動し終えると、図６に示すように、解錠状態を示す第二表示部５が表示孔１３の角度位置に戻る。そこでこの角度位置で合鍵を鍵孔から抜く。
【００４２】
施解錠時合鍵を９０度回し、更に同じ角度回し戻して合鍵を抜くタイプのシリンダ錠にこの発明を適用する場合、図７に示すように、例えば解錠時ツク９が施錠方向において遊動切欠８の一方の端部に突き当たるように、内筒の鍵孔１７に対するツク９の相対角度位置を設定する。
【００４３】
この状態で合鍵を鍵孔１７に差込み、施錠のため内筒２を時計方向（図７では反時計方向）に回すと、ツク９は遊動切欠８内で遊動せず直に表示リング３と一体的に回動し始め、内筒を９０度回すと、図８に示すように、また、前記したように、表示リングも９０度回って施錠状態を示す第一表示部４が表示孔１３と整合する。
【００４４】
この状態から合鍵を９０度回し戻すと、図９に示すように、また、前記したように、表示リング３を図８に示す角度位置に残したまま、ツク９のみが遊動切欠８内を遊動して、図９に示す角度位置に戻る。
【００４５】
この状態で合鍵を抜くと、表示リング３はその角度位置を保つから、次の解錠操作まで施錠の表示はその侭保たれる。
【００４６】
解錠のため合鍵を鍵孔に差込んで反時計方向（図９では時計方向）に回すと、図９から明らかなように、表示リング３は直に内筒と一体的に回動し、内筒２が９０度回動すると、図６に示すように、第二表示部５が表示孔１３と整合する。
【００４７】
この状態から合鍵を９０度回し戻すと、前記したと同様にして、表示リング３を図６に示す角度位置に残したまま、ツク９のみが遊動切欠８内を遊動して、図７に示す角度位置に戻る。
【００４８】
以上各前述の如く、この発明は一般に多用されているαが４５度のシリンダ錠に好適であるが、シリンダ錠は、その目的により、例えば４５度一定方向に回し、同じ角度回し戻して施解錠するものがあり（この場合α＝２２．５度）、このタイプのシリンダ錠にもこの発明を適用することができることは言うまでもない
。
【００４９】
【発明の効果】
以上の説明から明らかなように、この発明は、内筒の外端外周部に表示リングを回動可能に嵌着し、この表示リングの外面に、その円周方向に沿って、夫々内筒中心軸を見込む角度がαの３つの区画を連設し、両端の区画に相互に異なる色彩を施して、夫々施錠状態及び解錠状態に対応する二つの表示部を設けると共に、表示リングの内周面の内側に一定の角度範囲にわたって遊動切欠を形成し、一方、内筒の外周面外端部に上記遊動切欠と遊動可能に係合するツクを突設し、上記遊動切欠とツクの内筒中心軸を見込む角度の差を２αとしたので、同一の機構で施解錠操作が異なる２種以上のシリンダ錠にも対応し得る施解錠表示装置を得ることができる、という効果を奏する。
【００５０】
また、表示リングを内筒の外端外周部に回動可能に嵌着したから、表示部を大きく見易くすることができる、等種々の効果を奏する。
【図面の簡単な説明】
【図１】この発明の一実施例による施解錠表示装置を設けたシリンダ錠の正面図。
【図２】図１のＩＩ−ＩＩ線による断面図。
【図３】この発明の一実施例による施解錠表示装置を設けたシリンダ錠の構成部材を展開して示す外観斜視図で、主に各部材の外側を表示している。
【図４】この発明の一実施例による施解錠表示装置を設けたシリンダ錠の構成部材を展開して示す外観斜視図で、主に各部材の内側を表示している。
【図５】表示リングの正面図。
【図６】遊動切欠とツクとの係合の変化を説明するための表示リングの裏面図で、解錠表示状態を示す。
【図７】図６と同様の表示リングの裏面図で、ツクのみが遊動切欠内を遊動した状態を示す。
【図８】図６と同様の表示リングの裏面図で、表示リングが施錠表示角度位置にまで回動した状態を示す。
【図９】図６と同様の表示リングの裏面図で、ツクのみが遊動切欠内を遊動して待機角度位置に戻った状態を示す。
【符号の説明】
１  外筒
２  内筒
３  表示リング
４  第一表示部
５  第二表示部
６  中間区画
８  遊動切欠
９  ツク
１１  外筒キャップ
１２  開口
１３  表示孔
【図１】
0003718178.tif 000002
【図２】
0003718178.tif 000003
【図３】
0003718178.tif 000004
【図４】
0003718178.tif 000005
【図５】
0003718178.tif 000006
【図６】
0003718178.tif 000007
【図７】
0003718178.tif 000008
【図８】
0003718178.tif 000009
【図９】
0003718178.tif 000010